(57)【要約】【課題】本発明は、コストが低いレンズ手ブレ補正システム及びその方法を提供する。【解決手段】本発明に係るレンズ手ブレ補正システムは、レンズの手ブレを検出するためのセンサと、手ブレ補正データセットが予め格納され、且つ各手ブレ補正データが所定の偏差範囲を有し且つ、該偏差範囲内で手ブレ補正データを調整することができる制御モジュールと、前記センサが前記レンズの手ブレを検出した後、前記制御モジュールによって制御して、前記手ブレ補正データセットに応じて手ブレ補正を行うように前記レンズを移動させる駆動モジュールと、補正されたレンズを介して画像を撮像し且つ撮像された画像の解像度を分析する画像モジュールと、撮像された画像の解像度が予め設定された基準値より低い場合、解像度が予め設定された基準値より高い画像を獲得するように、前記手ブレ補正データセットを調整するデータ調整モジュールと、を備える。【選択図】図１
2014021491.tif 000002
【特許請求の範囲】
【請求項１】
レンズの手ブレを検出するためのセンサと、
手ブレ補正データセットが予め格納され、且つ各手ブレ補正データが所定の偏差範囲を有し、且つ該偏差範囲内で調整することができる制御モジュールと、
前記センサが前記レンズの手ブレを検出した後、前記制御モジュールによって制御して、前記手ブレ補正データセットに応じて手ブレ補正を行うように前記レンズを移動させる駆動モジュールと、
補正されたレンズを介して画像を撮像し、且つ撮像された画像の解像度を分析する画像モジュールと、
撮像された画像の解像度が予め設定された基準値より低い場合、解像度が予め設定された基準値より高い画像を獲得するように、前記手ブレ補正データセットを調整するデータ調整モジュールと、
を備えることを特徴とするレンズ手ブレ補正システム。
【請求項２】
前記画像モジュールは、撮像ユニットと、前記撮像ユニットに接続される分析ユニットとを備え、前記撮像ユニットは、前記レンズを通過した光線を画像信号に変換して画像を獲得するために用いられ、前記分析ユニットは、前記撮像ユニットによって獲得した画像を分析し、該画像の解像度が予め設定された基準値より高いかどうかを判断することを特徴とする請求項１に記載のレンズ手ブレ補正システム。
【請求項３】
前記画像の解像度が予め設定された基準値より高い場合、前記分析モジュールは、前記データ調整モジュールに第一制御信号を出力し、前記データ調整モジュールは、前記制御モジュール内に格納された最初の手ブレ補正データを変更せず、前記画像の解像度が予め設定された基準値より低い場合、前記分析モジュールは、データ調整モジュールに第二制御信号を出力し、前記データ調整モジュールは、予め設定された調整方式によって前記制御モジュール内に格納された最初の手ブレ補正データを調整することを特徴とする請求項１又は２に記載のレンズ手ブレ補正システム。
【請求項４】
センサによってレンズの手ブレを検出し、且つレンズの手ブレが検出されたかどうかを判断するステップと、
レンズの手ブレが検出された後、手ブレ補正データセットを利用してレンズに対して手ブレ補正を行い、各手ブレ補正データは、所定の偏差範囲を有し、且つ該偏差範囲内で手ブレ補正データを調整することができるステップと、
手ブレ補正された後の画像を獲得するステップと、
獲得された画像の解像度が予め設定された基準値より高いかどうかを判断するステップと、
獲得された画像の解像度が予め設定された基準値より低い場合、手ブレ補正データセットを調整することにより、解像度が予め設定された基準値より高い画像を獲得するステップと、
を備えることを特徴とするレンズ手ブレ補正方法。
【請求項５】
手ブレ補正データを調整した後、レンズに再度手ブレ補正を行い、その後画像を獲得して、且つ画像の解像度を判断することを特徴とする請求項４に記載のレンズ手ブレ補正方法。
【発明の詳細な説明】
【技術分野】
【０００１】
本発明は、手ブレ防止技術に関し、特にレンズ手ブレ補正システム及びその方法に関するものである。
【背景技術】
【０００２】
従来のレンズ手ブレ補正システムは、一般的に、レンズと、センサと、レンズを駆動するための駆動モジュールと、を備える。センサは、レンズの手ブレを検出するために用いられ、駆動モジュールは、センサから出力された信号に応じてレンズの手ブレを補正するようにレンズを移動する。センサの感度及び精度を確保するために、従来のレンズの手ブレ補正システムは、一般的に、複雑であり且つ高精度のセンサを採用する。従って、レンズの手ブレ補正システムがコストを増大させる。
【発明の概要】
【発明が解決しようとする課題】
【０００３】
前記課題を解決するために、本発明は、コストが低いレンズ手ブレ補正システム及びその方法を提供する。
【課題を解決するための手段】
【０００４】
本発明に係るレンズ手ブレ補正システムは、レンズの手ブレを検出するためのセンサと、手ブレ補正データセットが予め格納され、且つ各手ブレ補正データが所定の偏差範囲を有し、且つ該偏差範囲内で調整することができる制御モジュールと、前記センサが前記レンズの手ブレを検出した後、前記制御モジュールによって制御して、前記手ブレ補正データセットに応じて手ブレ補正を行うように前記レンズを移動させる駆動モジュールと、補正されたレンズを介して画像を撮像し、且つ撮像された画像の解像度を分析する画像モジュールと、撮像された画像の解像度が予め設定された基準値より低い場合、解像度が予め設定された基準値より高い画像を獲得するように、前記手ブレ補正データセットを調整するデータ調整モジュールと、を備える。
【０００５】
本発明に係るレンズ手ブレ補正方法は、センサによってレンズの手ブレを検出し、且つレンズの手ブレが検出されたかどうかを判断するステップと、レンズの手ブレが検出された後、手ブレ補正データセットを利用してレンズに手ブレ補正を行い、各手ブレ補正データは、所定の偏差範囲を有し、且つ該偏差範囲内で調整することができるステップと、手ブレ補正された後の画像を獲得するステップと、獲得された画像の解像度が予め設定された基準値より高いかどうかを判断するステップと、獲得された画像の解像度が予め設定された基準値より低い場合、手ブレ補正データセットを調整することにより、解像度が予め設定された基準値より高い画像を獲得するステップと、を備える。
【発明の効果】
【０００６】
従来の技術と比べて、本発明に係るレンズ手ブレ補正システム及びその方法は、手ブレ補正された後、撮像された画像の解像度を分析することによって、手ブレ補正データを調整する必要があるかどうかを判断し、必要とする場合、手ブレ補正を行う。従って、センサによって手ブレ補正の必要性を判断しなくて良いため、センサの感度及び精度に関する要求を低減し、生産コストを低減することができる。
【図面の簡単な説明】
【０００７】
【図１】本発明の実施形態に係るレンズ手ブレ補正システムのブロック図である。
【図２】本発明の実施形態に係るレンズ手ブレ補正方法のフローチャートである。
【発明を実施するための形態】
【０００８】
以下、図面を参照して、本発明の実施形態について説明する。
【０００９】
図１を参照すると、本発明の実施形態に係るレンズ手ブレ補正システム１００は、露光中にレンズ２００の手ブレを補正するために用いられる。該レンズ手ブレ補正システム１００は、センサ１０と、制御モジュール２０と、駆動モジュール３０と、画像モジュール４０と、データ調整モジュール５０とを備える。
【００１０】
センサ１０は、レンズ２００の手ブレを検出するために用いられる。本実施形態において、センサ１０はジャイロスコープである。センサ１０及びレンズ２００は、前記レンズ手ブレ補正システム１００を使用する電子装置（例えば、カメラ或いはカメラモジュールが搭載された携帯電話等、図示せず）内に取り付けられる。センサ１０及びレンズ２００は互いに離間して設置され、センサ１０は、レンズ２００の手ブレ及び電子装置の回転角度を検出するために用いられる。これにより、電子装置の表示画面に表示される画像は、センサ１０によって検出された回転角度に応じて回転することができる。
【００１１】
制御モジュール２０は、センサ１０に電気的に接続される。センサ１０は、レンズ２００の手ブレを検出した後、制御モジュール２０に手ブレ信号を送信する。制御モジュール２０内には、手ブレ補正データセットが予め格納されており、各手ブレ補正データは所定の偏差範囲を有し且つ、該偏差範囲内で手ブレ補正データを調整することができる。一般的な環境では、ユーザが電子装置のボタンを押して写真を撮る時、電子装置において生成された手ブレの量及び方向がほぼ同じであるため、制御モジュール２０に予め格納されている手ブレ補正データによって、レンズ２００の手ブレを効果的に補正することができる。また、その他の環境では、前記偏差範囲内で手ブレ補正データを調整することによって、レンズ２００に補正を行うことができる。
【００１２】
駆動モジュール３０は制御モジュール２０に電気的に接続され、且つレンズ２００に機械的に接続される。駆動モジュール３０は、制御モジュール２０から出力された手ブレ補正データに応じてレンズ２００を移動する。本実施形態において、駆動モジュール３０はモータと、モータと噛み合うギア群とを備える。モータは制御モジュール２０に電気的に接続され、ギア群はレンズ２００に連接される。
【００１３】
画像モジュール４０は、撮像ユニット４１と、撮像ユニット４１に接続される分析ユニット４２とを備える。撮像ユニット４１は、レンズ２００を通過した光線を画像信号に変換して画像を獲得するために用いられる。分析ユニット４２は、撮像ユニット４１によって獲得した画像を分析して、該画像の解像度（ＭＴＦ）と予め設定された基準値とを比較し、且つこの比較結果に応じて異なる制御信号を出力する。本実施形態において、撮像ユニット４１は相補型金属酸化膜半導体センサ（ＣＭＯＳ）である。
【００１４】
データ調整モジュール５０は、制御モジュール２０と分析ユニット４２との間に接続される。データ調整モジュール５０内には、手ブレ補正データの調整方式が予め設定され、例えば、いくつかの手ブレ補正データを調整した後、他のいくつかの手ブレ補正データを調整する。獲得した画像の解像度が予め設定された基準値より低い場合、データ調整モジュール５０は、予め設定された手ブレ補正データの調整方式によって制御モジュール２０内に格納された手ブレ補正データを偏差範囲内で調整する。
【００１５】
レンズ２００に対して手ブレ補正を行う過程において、ユーザが電子装置のボタンを押して写真を撮る時、センサ１０はレンズ２００の手ブレを検出した後、制御モジュール２０に手ブレ信号を送信する。制御モジュール２０は、予め設定された手ブレ補正データによって駆動モジュール３０を駆動し、駆動モジュール３０は、手ブレ補正を行うようにレンズ２００を移動する。レンズ２００が補正された後、画像モジュール４０の撮像ユニット４１は、レンズ２００を介して画像を撮像する。分析モジュール４２は、撮像ユニット４１によって撮像された画像の解像度を分析し、該画像の解像度と予め設定された基準値とを比較する。該画像の解像度が予め設定された基準値より高い場合、分析モジュール４２は、データ調整モジュール５０に第一制御信号を出力する。この時、データ調整モジュール５０は、制御モジュール２０内に格納された最初の手ブレ補正データを変更しない。該画像の解像度が予め設定された基準値より低い場合、分析モジュール４２は、データ調整モジュール５０に第二制御信号を出力する。この時、データ調整モジュール５０は、予め設定された調整方式によって制御モジュール２０内に格納された最初の手ブレ補正データを調整する。制御モジュール２０は、調整後の手ブレ補正データによってレンズ２００を移動するように駆動モジュール３０を再度駆動する。これにより、レンズ２００に対して手ブレ補正を行う。その後、画像モジュール４０は、レンズ２００を介して再度画像を撮像する。
【００１６】
図２を参照すると、本発明の実施形態に係るレンズ手ブレ補正方法は、下記のステップＳ１０１〜Ｓ１０６を備える。
【００１７】
ステップＳ１０１において、センサ１０によってレンズ２００の手ブレを検出し、且つレンズ２００の手ブレが検出されたかどうかを判断する。
【００１８】
ステップＳ１０２において、手ブレ補正データセットを利用してレンズ２００に対して手ブレ補正を行い、各手ブレ補正データは所定の偏差範囲を有し、且つ該偏差範囲内で調整することができる。
【００１９】
ステップＳ１０３において、レンズ２００が手ブレ補正された後、レンズ２００を介して画像を撮像する。
【００２０】
ステップＳ１０４において、撮像された画像の解像度が予め設定された基準値より高いかどうかを判断する。
【００２１】
ステップＳ１０５において、撮像された画像の解像度が予め設定された基準値より低い場合、手ブレ補正データセットを調整した後、ステップＳ１０２に戻る。
【００２２】
ステップＳ１０６において、撮像された画像の解像度が予め設定された基準値より高い場合或いは手ブレを検出しなかった場合、写真を撮影する。
【００２３】
本発明の実施形態に係るレンズ手ブレ補正システム及びその方法は、手ブレ補正された後、撮像された画像の解像度を分析することによって、手ブレ補正データを調整する必要があるかどうかを判断し、必要とする場合、さらに手ブレ補正を行う。従って、センサによって手ブレ補正の必要性を判断しなくて良いため、センサの感度及び精度に関する要求を低減し、生産コストを低減することができる。
【符号の説明】
【００２４】
１００  レンズ手ブレ補正システム
２００  レンズ
１０  センサ
２０  制御モジュール
３０  駆動モジュール
４０  画像モジュール
５０  データ調整モジュール
４１  撮像ユニット
４２  分析モジュール
【図１】
2014021491.tif 000003
【図２】
2014021491.tif 000004